(57)【要約】【課題】植物由来で自然に優しく、水質を改善することができる水質改善剤およびその製造方法を提供する。【解決手段】少なくともアロエを含む複数種類の植物を含む液を混合し抽出した植物由来エキス液と、キダチアロエのアルコール漬け液と、アロエベラのアルコール漬け液と、米ぬか液と、糖分と、ミネラル分とを含んで混合してなる液にミネラル分と灰分を加えた液の発酵液である水質改善剤で、前記植物由来エキス液が、（ａ）少なくともアロエと糖分とミネラル分とを含む第１液と、（ｂ）少なくともアロエと糖分と塩分とを含む第２液と、（ｃ）アロエを含む複数種類の植物のアルコール抽出液と、アロエを含む複数種類の植物の糖抽出液と、複数種類の植物を混合して煮沸抽出した液と複数種類の植物エキスのアルコール抽出液とを含む第３液とを含む構成とする。【選択図】なし【特許請求の範囲】
【請求項１】
少なくともアロエを含む複数種類の植物を含む液を混合し抽出した植物由来エキス液と、キダチアロエのアルコール漬け液と、アロエベラのアルコール漬け液と、米ぬか液と、糖分と、ミネラル分とを含んで混合してなる液にミネラル分と灰分を加えた液の発酵液であることを特徴とする水質改善剤。
【請求項２】
前記植物由来エキス液が、
（ａ）少なくともアロエと糖分とミネラル分とを含む第１液と、
（ｂ）少なくともアロエと糖分と塩分とを含む第２液と、
（ｃ）アロエを含む複数種類の植物のアルコール抽出液と、アロエを含む複数種類の植物の糖抽出液と、複数種類の植物を混合して煮沸抽出した液と複数種類の植物エキスのアルコール抽出液とを含む第３液と
を含むことを特徴とする請求項１記載の水質改善剤。
【請求項３】
少なくともアロエを含む複数種類の植物を混合し抽出して植物由来エキス液を作成するステップ、少なくともキダチアロエのアルコール漬け液とアロエベラのアルコール漬け液と米ぬか液と糖分とミネラル分とを前記植物由来エキス液に加え混合溶液を作成するステップ、前記混合溶液にミネラル分と灰分を加え発酵させるステップとを含むことを特徴とする水質改善剤の製造方法。
【請求項４】
前記植物由来エキス液が、
（ａ）少なくともアロエと糖分とミネラル分とを含む第１液と、
（ｂ）少なくともアロエと糖分と塩分とを含む第２液と、
（ｃ）アロエを含む複数種類の植物のアルコール抽出液と、アロエを含む複数種類の植物の糖抽出液と、複数種類の植物を混合して煮沸抽出した液と複数種類の植物エキスのアルコール抽出液とを含む第３液と
を含むことを特徴とする請求項３記載の水質改善剤の製造方法。
【発明の詳細な説明】
【技術分野】
【０００１】
本発明は、河川・湖沼・池等の水中の有機ヘドロを分解することで水質を改善するために利用することのできる水質改善剤及びその製造方法に関する。
【背景技術】
【０００２】
従来より、川の水の浄化や糞尿処理など、水を処理して水質を改善する方法は多数知られている（例えば、特許文献１参照）。
【先行技術文献】
【特許文献】
【０００３】
【特許文献１】特開２００８−１２６１５９号公報
【発明の概要】
【発明が解決しようとする課題】
【０００４】
しかし、従来の水質改善剤では、水質改善するのに化学薬品や特定の微生物等使用することで生態系に悪影響を与えるという問題があった。
【０００５】
そこで、本発明は、植物由来で自然に優しく、生態を活性化することができる水質改善剤を提供することを目的とする。
【課題を解決するための手段】
【０００６】
本発明の第１の態様は、
少なくともアロエを含む複数種類の植物を含む液を混合し抽出した植物由来エキス液と、キダチアロエのアルコール漬け液と、アロエベラのアルコール漬け液と、米ぬか液と、糖分と、ミネラル分とを含んで混合してなる液にミネラル分と灰分を加えた液の発酵液であることを特徴とする水質改善剤を提供する。
【０００７】
前記植物由来エキス液が、
（ａ）少なくともアロエと糖分とミネラル分とを含む第１液と、
（ｂ）少なくともアロエと糖分と塩分とを含む第２液と、
（ｃ）アロエを含む複数種類の植物のアルコール抽出液と、アロエを含む複数種類の植物の糖抽出液と、複数種類の植物を混合して煮沸抽出した液と複数種類の植物エキスのアルコール抽出液とを含む第３液と
を含むことが好ましい。
【０００８】
本発明の第２の態様は、
少なくともアロエを含む複数種類の植物を混合し抽出して植物由来エキス液を作成するステップ、少なくともキダチアロエのアルコール漬け液とアロエベラのアルコール漬け液と米ぬか液と糖分とミネラル分とを前記植物由来エキス液に加え混合溶液を作成するステップ、前記混合溶液にミネラル分と灰分を加え発酵させるステップとを含むことを特徴とする水質改善剤の製造方法を提供する。
【０００９】
前記植物由来エキス液が、
（ａ）少なくともアロエと糖分とミネラル分とを含む第１液と、
（ｂ）少なくともアロエと糖分と塩分とを含む第２液と、
（ｃ）アロエを含む複数種類の植物のアルコール抽出液と、アロエを含む複数種類の植物の糖抽出液と、複数種類の植物を混合して煮沸抽出した液と複数種類の植物エキスのアルコール抽出液とを含む第３液と
を含むことが好ましい。
【発明の効果】
【００１０】
本発明の水質改善剤によれば、植物由来で自然に優しく、水質を改善することができる。
【発明を実施するための形態】
【００１１】
本願発明者は、自然に優しくかつ水質改善能力に優れた水質改善剤及びその製造方法について試行錯誤し、高い水質改善力を有する水質改善剤を見出した。
【００１２】
以下、本発明の水質改善剤及びその製造方法の一実施形態について、実施例を用いて具体的に説明するが、本発明はこれらに限定されるものではない。
【実施例１】
【００１３】
本発明の実施例１の水質改善剤は、複数種類の混合発酵植物液によって水質改善を実現するものであって、以下のように製造した。
【００１４】
（第１液：第１の黒糖アロエ液）
まずは第１液を作成した。キダチアロエ１５ｋｇに対し、黒糖１５ｋｇ、はちみつ７ｋｇ、梅エキス５００ｃｃ、濃縮ミネラル液１００ｃｃの割合で混合し、１週間熟成し、液を搾取して、搾りとった液を第１液とした。上記濃縮ミネラル液は、海水を５０倍に濃縮して作成した。アロエは１００万分の１ｍｍの大きさまで微粒子化処理して使用する。以下、アロエ及びアロエベラをはじめとする植物は同様に処理する。これによりイオン化されやすくなる。
【００１５】
（第２液：第２の黒糖アロエ液）
次に第２液を作成した。アロエエキス３０リットルに対し、ブラウンシュガー１５ｋｇ、黒糖１５ｋｇ、自然塩２００ｇの割合で混合し、混合した液を煮溶かして得た液を第２液とした。
【００１６】
（第３液：野菜エキス液）
次に第３液を作成した。第３液は、混合材Ａからの抽出液である抽出液Ａをはじめとする４種類の抽出液から作成する植物由来エキス液である。
【００１７】
まずは、長茄子、キュウリ、マッシュルーム、かぼちゃ、絹さや、いんげん、まいたけ、しめじ、小松菜、オレンジ、竹の子、ショウガ、フキ葉、梨、ふきのとう、にがうり、ほうれん草、紅玉、アロエベラ、青リンゴ、いちじく、セロリ、洋梨、はこべ、米ぬか、はぶ茶、ハスの葉、ウコン、黒豆、シイタケ、黄粉、まつたけ、ゴマ、クマザサ、しいの実、伊予柑、ザボン、プルーン、枝豆、エノキ茸、ピーマン、かぶ、柿葉、マンゴー、いちご、バジリコ、パイナップル、トマト、シシトウ、里芋、春菊、エシャレット葡萄、柿、月桂樹、洋梨、メロン、赤じそ、ほうじ茶、はと麦、人参、キウイ、クワイ、山うど、柚子、ライム、キンカン、ハス、レモン、とうがん、ジャスミン、ニンニク、松葉、玉葱、ターサ、芋がら、ブロッコリー、クレソン、みかん、グレープフルーツ、パパイヤ、パセリ、京みぶな、おおばこ、梅エキス、ワラビ、どくだみ、山芋、カリフラワー、アスパラ、銀杏葉、セリ、ザクロ、ツルムラサキ、菜の花、プ―アール、山クラゲ、そばの実、ペパーミント、花梨、ムラベツ、キャベツ、グリーンリーフ、根三ツ葉、サラダ菜、レタス、京菜、小豆、大根、タンポポ、ルイボス、からしな、空豆、なめこ、たらの芽、紅だて、ラディッシュ、棄玉葱、ニラ、ポンカン、水仙、わかめ、スペアミント、落花生、ピスタチオ、じゃが芋、枇杷薫、杏、ハイビスカス、くるみ、レモンバーベナ、レモンパーム、レモングラス、カモマイルジャーマン、レモンディライト、赤とさか、青とさか、伊勢海老キチンキトサンの１３７種の各材料を、それぞれが少なくとも重量比で０．２％以上の割合になるような任意の割合で、皮や殻など全て丸ごと混合し、混合材Ａとして作成した。混合材Ａ１ｋｇに対し１.５リットルのアルコールの割合で、抽出を行い、抽出液Ａ（アルコール抽出液）とした。
【００１８】
次に、にんにく、青梅、キダチアロエの各材料を、それぞれが少なくとも重量比で１０％以上の割合になるような任意の割合で、皮など全て丸ごと混合し、混合材Ｂとして作成した。混合材Ｂ１ｋｇに対し１ｋｇの黒糖の割合で、抽出を行い、抽出液Ｂ（糖抽出液）とした。抽出液Ｂの抽出法は、糖抽出すなわち糖による浸透圧を利用した抽出である。
【００１９】
さらに、ウコン、大根、人参、メシマコブ、レイシ、アガリスク、牛蒡、米ぬか、スギナの各材料を、それぞれが少なくとも重量比で５％以上の割合になるような任意の割合で、皮など全て丸ごと混合し、混合材Ｃとして作成した。混合材Ｃを煮沸して抽出を行い、抽出液Ｃ（煮沸抽出液）とした。
【００２０】
また、ウコンエキス、クマザサ液、クレソン液、スギナ液、ゴボウエキス、にんにくエキス、ワラビエキス、赤シソエキス、マイタケエキス、メシマコブエキス、レイシエキス、アガリスクエキス、大根エキス、人参エキス、羅漢花エキス、オオバエキス、シシトウエキス、昆布エキスの各材料を、大根エキスのみ２倍量で他は全て同じ重量ずつの割合で、皮など全て丸ごと混合し、混合材Ｄとして作成した。混合材Ｄ１ｋｇに対し１.５リットルのアルコールの割合で、抽出を行い、抽出液Ｄ（アルコール抽出液）とした。抽出液Ｄは、水質改善の機能強化剤としての役割を果たす。
【００２１】
抽出液Ａ、抽出液Ｂ、抽出液Ｃ、抽出液Ｄを、それぞれが少なくとも重量比で１０％以上の割合になるような任意の割合で、混合し、第３液とした。
【００２２】
（第４液：キダチアロエエキス液）
次に、第４液を作成した。みじん切りにしたキダチアロエ１３ｋｇを２０リットルのポリタンクにいれて、３５度の焼酎をポリタンクが満杯になるまで注ぐ。１週間放置した後、液を搾取した。搾取した液を第４液とした。第４液はキダチアロエのアルコール漬け液である。第４液の原料は、アロエの中でも特に、薬効の高いキダチアロエが適する。
【００２３】
（第５液：アロエベラエキス液）
次に、第５液を作成した。みじん切りにしたアロエベラ１３ｋｇを２０リットルのポリタンクにいれて、３５度の焼酎をポリタンクが満杯になるまで注ぐ。１週間放置した後、液を搾取した。搾取した液を第５液とした。第５液はアロエベラのアルコール漬け液である。第５液は、食用可能であるアロエベラを用いることが好ましい。
【００２４】
（第６液：米ぬかエキス液）
次に、第６液を作成した。米ぬか１ｋｇに対し２リットルの水の割合で混合し、１時間煮た。１昼夜放置した後、濾過してエキスを搾取した。搾取した液を第６液とした。第６液は米ぬか液である。
【００２５】
（第７液：ベース液）
上述した第１液、第２液、第３液、第４液、第５液及び第６液、はちみつ、前記濃縮ミネラル液、プロポリス液、キチンキトサンエキスを、それぞれが少なくとも重量比で５％以上の割合になるような任意の割合で、混合し、第７液とした。
【００２６】
（第８液：リサイクル液）
前記第１液〜第６液を作成する過程で排出された搾りカス１ｋｇに対し黒糖５００ｇ、はちみつ５００ｇの割合で混合し、１週間熟成して、液を搾取した。搾取した液を第８液とした。
【００２７】
（水質改善剤）
実施例１の水質改善剤は、上述した第７液に、前記濃縮ミネラル液及び草木灰を、第７液が少なくとも６０％以上、その他がそれぞれ重量比で１％以上２０％以内の割合になるような任意の割合で混合し、かかる混合液に、第７液のもとである第１液、第４液、第５液及び第６液と、第８液とを、それぞれ全体量の１０％以下となる範囲で加えて全体量を調整し、２週間程度常温にて保管して発酵させ、酸味がでてきたら、煮沸殺菌を行って、作成した。前記濃縮ミネラル液はミネラル分として、草木灰は灰分として加えた。草木灰は、草木を焼いてつくった灰である。水質改善剤は、例えばポリタンクに入れて、小分けして配送することができる。実施例１の水質改善剤には、野菜等から作られた酵素が含まれ、完全に溶解している状態となっている。本実施例では黒糖を用いたが、ブドウ糖等、他の糖でもよい。実施例１の水質改善剤は複数種類の植物液を原料とし発酵して製造される混合発酵植物液である。
【００２８】
（使用方法１）
実施例１の水質改善剤は、水質を改善したい水、例えば川の水や養豚糞尿池の水などの汚水に混合して、混合した液を多孔質セラミックや炭などの濾過材に通して濾過した。さらに圧縮空気を濾過時に送入することで、濾過水に酸素を溶かし込んで溶存酸素量を増加させ、濾過材のつまりも解消した。混合によって汚水の中のヘドロ等の成分が、分解され、炭化微粒子化され、濾過時に濾過材に付着することで汚水が浄化された。
【００２９】
（使用方法２）
実施例１の水質改善剤は、川に直接投与することによっても水質改善の効果を奏した。川Ａは、上流に魚類の加工業者があり、川の下面と両側面がコンクリートである川であり、実施例１の水質改善剤の投与前は、川の水から腐敗臭が漂い、魚の脂肪に起因するとみられる白い塊が水面に浮遊している状態であり、河口付近の透明度は８ｍでヘドロが２５〜３０ｃｍ程度堆積していた。上記白い塊は魚の脂肪によるものであって、汚染された、工場等排水または家庭排水によって魚の脂肪分が酸化、腐敗し、窒素系綿埃状態のヘドロに変化して腐敗臭が発生していると考えられる。魚の生息状況としては、海側防波堤の水門付近に数匹のボラ子が確認できる程度であった。測定器が川底に当たるとメタンガスが噴出した。
【００３０】
実施例１の水質改善剤を１日に１００リットルずつ、７日間連続で、原水地から５００メートル下流までの間で、川Ａの水に投与した。濃度にするとｐｐｍオーダーではあるが、７日間連続で投与した結果、川Ａの水は、魚の臭いはあるものの、腐敗臭が消失した。また、ボラやボラ子、ハヤなどの魚が数万匹単位で遡上してきて、３日めに投与した後に確認したところ、上記水門付近に体長５〜６０ｃｍの大型のボラが数万〜数十万匹単位で遡上してきた。透明度は８ｃｍから３０ｃｍにまで向上した。また、ヘドロの堆積厚は、２５〜３０ｃｍであったのが、５ｃｍに減少した。また、測定器が川底に当たってもメタンガスは全く噴出しなかった。川Ａは三面がコンクリートであるため天然の濾過能力はほとんどないが、実施例１の水質改善剤の投与後は、川底や側溝に白っぽい水綿（マイタケに似たヌルヌルとした苔）が発生し、魚の脂肪とみられる油分を吸着したため、上記下白い塊は水面にほとんど見られなくなった。また、水綿が発生して有機物の分解を促進したため、分解時にに溶存酸素を消費し、川Ａの溶存酸素量（ＤＯ値）は３．５ｍｇ／リットルから０．５ｍｇ／リットルに減少した。
【００３１】
上記の川Ａのほか、複数の川や池や滝で実験した。汚染が進んでいた川Ｂでは、実施例１の水質改善剤を毎日２０リットルずつ１００日間投与したところ、悪臭の消失、透明度の向上、魚やトンボなど生態系の活性化が見られた。川Ｃでは、実施例１の水質改善剤を２０リットルずつ短期間に３回投与したところ、ヘドロが分解され、悪臭が消失した。川Ｄでは、実施例１の水質改善剤を毎日２回２０リットルずつ６日間投与したところ、魚類の生息が確認できなかったのが魚類の遡上が視認できるようになり、ボラ子や稚魚が確認され、川壁や川底で藻類の色が鮮やかになり、ヘドロ状態であった川底に藻類の芽生えが確認され、悪臭が消失し、濁度が、川底の砂地が見えるまでに改善された。循環水による人工滝においても、実施例１の水質改善剤の使用によって、悪臭消失、清掃作業回数軽減、魚類飼育を実現できた。実施例１の水質改善剤では、川や滝のほか、池沼の浄化、養豚糞尿池の浄化においても悪臭消失や濁度改善等の水質改善効果が確認できた。
【００３２】
実施例１の水質改善剤は、１ｐｐｍ前後でも水の活性化の起爆剤となりうるが、実施例１の水質改善剤１０リットルが１ｐｐｍに希釈される水量は、幅５ｍ、深さ２ｍ、長さ１ｋｍの川流域に相当する。ただし、川の水は常に入れ替わるため、効果を持続するには継続した取り組みが好ましい。
【００３３】
（実施例１の効果）
実施例１の水質改善剤によれば、水中のヘドロを凝集させて取り除きやすくするため、水質を改善したい水に混ぜて一緒に濾過することで、化学物質を用いないで植物由来で自然に優しく、水質を改善することができるという効果が生じた。実施例１の水質改善剤によれば、水質を改善したい水に投与することで、化学物質を用いないで植物由来で自然に優しく、水質を改善することができるという効果が生じた。なお、実施例１の水質改善剤によれば、実験の結果、水が浄化され、悪臭も消えた。また、実施例１の水質改善剤によれば、好気性バクテリアに好適な環境を提供できるので、有害な微生物の発生を抑制し、有益な微生物の発生を促すことで、食物連鎖のしくみを利用して、化学物質を使わずに、水中の生態系を活性化する効果があった。また、実施例１の水質改善剤によれば、イオン化した物質を析出し微粒子化するので、汚水と混合して濾過することで、汚水を無害化できた。
【００３４】
なお、本発明は、上記実施の形態に限定されず、その発明の趣旨を逸脱しない範囲で種々と変形実施が可能である。